(57)【要約】【課題】分岐部を有するスコア線に沿ったパネルの破断が良好に行われるようにする。【解決手段】第１スコア線４３０に対し、溝幅を他の部分における溝幅とは異ならせた溝幅変更部４３５を設けている。この溝幅変更部４３５は、第１側面４３０Ｂの一部および第２側面４３０Ｃの一部に曲率を付与し、第１側面４３０Ｂのこの一部および第２側面４３０Ｃのこの一部のそれぞれを、外側方向に膨らませることで形成している。さらに説明すると、溝幅変更部４３５は、第１側面４３０Ｂおよび第２側面４３０Ｃのそれぞれに凹部を形成することで形成している。【選択図】図６
2015034058.tif 000002
【特許請求の範囲】
【請求項１】
缶胴の開口に取り付けられるパネルと、
前記パネルに形成され、予め定められた進行方向に向かって進行した後、分岐部にて分岐し、複数の方向に向かってさらに進行するように形成され、当該分岐部よりも進行方向における下流側に、第１の分岐後スコア線と第２の分岐後スコア線とを備え、当該パネルの破断を促すスコア線と、
前記第１の分岐後スコア線および前記第２の分岐後スコア線のうち一方の分岐後スコア線に対応して設けられ、当該一方の分岐後スコア線に沿って前記パネルの破断が進行していく際の進行速度を一時的に低下させる速度低下手段と、
を備える缶蓋。
【請求項２】
前記一方の分岐後スコア線は、前記パネルの表面に形成された溝により形成され、
前記一方の分岐後スコア線には、溝幅が小さくなる部分あるいは溝幅が大きくなる部分が設けられ、
進行速度の前記一時的な低下は、溝幅が小さくなる前記部分あるいは溝幅が大きくなる前記部分にて行われることを特徴とする請求項１に記載の缶蓋。
【請求項３】
前記一方の分岐後スコア線は、前記パネルの表面に形成された溝により形成され、
前記溝には、底部と、当該溝の幅方向において当該溝の一方の脇に位置し当該溝内に面する第１の側面と、当該溝の幅方向において当該溝の他方の脇に位置し当該溝内に面する第２の側面とが設けられ、
前記第１の側面および前記第２の側面の少なくとも一方の側面には、凸部又は凹部が形成され、
進行速度の前記一時的な低下は、前記凸部又は凹部が設けられている箇所にて行われることを特徴とする請求項１に記載の缶蓋。
【請求項４】
前記一方の分岐後スコア線は、前記パネルの表面に形成された溝により形成され、
前記溝には、底部と、当該溝の幅方向において当該溝の一方の脇に位置し当該溝内に面する第１の側面と、当該溝の幅方向において当該溝の他方の脇に位置し当該溝内に面する第２の側面とが設けられ、
前記第１の側面および前記第２の側面の少なくとも一方の側面には、他方の側面の対向箇所に位置する第１の部位と、前記溝が延びている方向において当該第１の部位とは異なる位置に配置され且つ当該第１の部位よりも当該他方の側面に近い側に位置する第２の部位とが設けられるとともに、当該第１の部位と当該第２の部位との間には、段差が形成され、
進行速度の前記一時的な低下は、前記段差が設けられている箇所にて行われることを特徴とする請求項１に記載の缶蓋。
【請求項５】
前記一方の分岐後スコア線は、進行方向における下流側に向かって進行していく途中で当該進行方向が変化するように形成され、
進行速度の前記一時的な低下は、前記一方の分岐後スコア線のうちの進行方向が変化する箇所にて行われることを特徴とする請求項１に記載の缶蓋。
【請求項６】
前記一方の分岐後スコア線は、前記パネルの表面に形成された溝により形成されるとともに、当該一方の分岐後スコア線には、当該溝の深さの浅い部分が設けられ、
進行速度の前記一時的な低下は、前記溝の深さの浅い前記部分にて行われることを特徴とする請求項１に記載の缶蓋。
【請求項７】
前記一方の分岐後スコア線は、前記パネルの表面に形成された溝により形成され、
前記パネルの予め定められた箇所であって、前記一方の分岐後スコア線が通る当該予め定められた箇所に対して、押圧加工が施され、
進行速度の前記一時的な低下は、前記押圧加工が施された箇所にて行われることを特徴とする請求項１に記載の缶蓋。
【請求項８】
缶胴の開口に取り付けられるパネルと、
前記パネルに形成され、予め定められた進行方向に向かって進行した後、分岐部にて分岐し、複数の方向に向かってさらに進行するように形成され、当該分岐部よりも進行方向における下流側に、第１の分岐後スコア線と第２の分岐後スコア線とを備え、当該パネルの破断を促すスコア線と、
前記第１分岐後スコア線および前記第２分岐後スコア線の双方の分岐後スコア線に対応して設けられ、当該第１分岐後スコア線に沿って前記パネルの破断が進行していく際の進行速度を一時的に低下させ、当該第２分岐後スコア線に沿って当該パネルの破断が進行していく際の進行速度を一時的に低下させる速度低下手段と、
を備える缶蓋。
【請求項９】
缶胴の開口に取り付けられるパネルと、
前記パネルに形成され、予め定められた進行方向に向かって進行した後、分岐部にて分岐し、複数の方向に向かってさらに進行するように形成され、当該分岐部よりも進行方向における下流側に、第１の分岐後スコア線と第２の分岐後スコア線とを備え、当該パネルの破断を促すスコア線と、
前記第１の分岐後スコア線および前記第２の分岐後スコア線のうちの少なくとも一方の分岐後スコア線に対応して設けられ、当該一方の分岐後スコア線に沿って進行する前記パネルの破断を一時的に滞らせる手段と、
を備える缶蓋。
【請求項１０】
飲料が収容された缶胴と、当該缶胴に取り付けられた缶蓋と、を備える飲料缶であって、
前記缶蓋が、請求項１乃至９の何れかに記載の缶蓋である飲料缶。
【発明の詳細な説明】
【技術分野】
【０００１】
本発明は、缶蓋および飲料缶に関する。
【背景技術】
【０００２】
タブによってパネルの一部が押圧されることでスコア線にてパネルの破断が起こり、飲み口として機能する開口が形成される飲料缶が提案されている（例えば、特許文献１参照）。
【先行技術文献】
【特許文献】
【０００３】
【特許文献１】特開昭５１−８２１８８号公報
【発明の概要】
【発明が解決しようとする課題】
【０００４】
一般に、飲料缶に用いられる缶蓋では、パネルの表面にスコア線が形成されており、缶蓋に開口が形成される際、スコア線に沿ってパネルの破断が進行する。ここで、スコア線が途中で分岐している形態では、分岐部よりも下流側に位置する複数のスコア線の各々にて、パネルの破断が生じ、これにより缶蓋に開口が形成される。
ところで、分岐部の下流側に複数のスコア線が形成されている場合、各スコア線にて破断が開始される際の破断開始タイミングが開口の形成に影響を与えることがあり、この破断開始タイミングが予め定めたタイミングとは異なるようになると、一部のスコア線にてパネルの破断が生じにくくなったりし、意図した状態とは異なる状態の開口が形成されるおそれがある。
本発明の目的は、分岐部を有するスコア線に沿ったパネルの破断が良好に行われるようにすることにある。
【課題を解決するための手段】
【０００５】
本発明が適用される缶蓋は、缶胴の開口に取り付けられるパネルと、前記パネルに形成され、予め定められた進行方向に向かって進行した後、分岐部にて分岐し、複数の方向に向かってさらに進行するように形成され、当該分岐部よりも進行方向における下流側に、第１の分岐後スコア線と第２の分岐後スコア線とを備え、当該パネルの破断を促すスコア線と、前記第１の分岐後スコア線および前記第２の分岐後スコア線のうち一方の分岐後スコア線に対応して設けられ、当該一方の分岐後スコア線に沿って前記パネルの破断が進行していく際の進行速度を一時的に低下させる速度低下手段と、を備える缶蓋である。
ここで、前記一方の分岐後スコア線は、前記パネルの表面に形成された溝により形成され、前記一方の分岐後スコア線には、溝幅が小さくなる部分あるいは溝幅が大きくなる部分が設けられ、進行速度の前記一時的な低下は、溝幅が小さくなる前記部分あるいは溝幅が大きくなる前記部分にて行われることを特徴とすることができる。この場合、分岐後スコア線の溝幅を部分的に小さくしたり、部分的に大きくしたりすることで、分岐後スコア線に沿ってパネルの破断が進行していく際の進行速度を一時的に低下できるようになる。
また、前記一方の分岐後スコア線は、前記パネルの表面に形成された溝により形成され、前記溝には、底部と、当該溝の幅方向において当該溝の一方の脇に位置し当該溝内に面する第１の側面と、当該溝の幅方向において当該溝の他方の脇に位置し当該溝内に面する第２の側面とが設けられ、前記第１の側面および前記第２の側面の少なくとも一方の側面には、凸部又は凹部が形成され、進行速度の前記一時的な低下は、前記凸部又は凹部が設けられている箇所にて行われることを特徴とすることができる。この場合、分岐後スコア線を形成する溝の側面に凸部又は凹部を設けることで、分岐後スコア線に沿ってパネルの破断が進行していく際の進行速度を一時的に低下できるようになる。
また、前記一方の分岐後スコア線は、前記パネルの表面に形成された溝により形成され、前記溝には、底部と、当該溝の幅方向において当該溝の一方の脇に位置し当該溝内に面する第１の側面と、当該溝の幅方向において当該溝の他方の脇に位置し当該溝内に面する第２の側面とが設けられ、前記第１の側面および前記第２の側面の少なくとも一方の側面には、他方の側面の対向箇所に位置する第１の部位と、前記溝が延びている方向において当該第１の部位とは異なる位置に配置され且つ当該第１の部位よりも当該他方の側面に近い側に位置する第２の部位とが設けられるとともに、当該第１の部位と当該第２の部位との間には、段差が形成され、進行速度の前記一時的な低下は、前記段差が設けられている箇所にて行われることを特徴とすることができる。この場合、分岐後スコア線を形成する溝の側面に段差を形成することで、分岐後スコア線に沿ってパネルの破断が進行していく際の進行速度を一時的に低下できるようになる。
また、前記一方の分岐後スコア線は、進行方向における下流側に向かって進行していく途中で当該進行方向が変化するように形成され、進行速度の前記一時的な低下は、前記一方の分岐後スコア線のうちの進行方向が変化する箇所にて行われることを特徴とすることができる。この場合、分岐後スコア線の進行方向を途中で変化させることで、分岐後スコア線に沿ってパネルの破断が進行していく際の進行速度を一時的に低下できるようになる。
また、前記一方の分岐後スコア線は、前記パネルの表面に形成された溝により形成されるとともに、当該一方の分岐後スコア線には、当該溝の深さの浅い部分が設けられ、進行速度の前記一時的な低下は、前記溝の深さの浅い前記部分にて行われることを特徴とすることができる。
また、前記一方の分岐後スコア線は、前記パネルの表面に形成された溝により形成され、前記パネルの予め定められた箇所であって、前記一方の分岐後スコア線が通る当該予め定められた箇所に対して、押圧加工が施され、進行速度の前記一時的な低下は、前記押圧加工が施された箇所にて行われることを特徴とすることができる。
他の観点から捉えると、本発明が適用される缶蓋は、缶胴の開口に取り付けられるパネルと、前記パネルに形成され、予め定められた進行方向に向かって進行した後、分岐部にて分岐し、複数の方向に向かってさらに進行するように形成され、当該分岐部よりも進行方向における下流側に、第１の分岐後スコア線と第２の分岐後スコア線とを備え、当該パネルの破断を促すスコア線と、前記第１分岐後スコア線および前記第２分岐後スコア線の双方の分岐後スコア線に対応して設けられ、当該第１分岐後スコア線に沿って前記パネルの破断が進行していく際の進行速度を一時的に低下させ、当該第２分岐後スコア線に沿って当該パネルの破断が進行していく際の進行速度を一時的に低下させる速度低下手段と、を備える缶蓋である。
他の観点から捉えると、本発明が適用される缶蓋は、缶胴の開口に取り付けられるパネルと、前記パネルに形成され、予め定められた進行方向に向かって進行した後、分岐部にて分岐し、複数の方向に向かってさらに進行するように形成され、当該分岐部よりも進行方向における下流側に、第１の分岐後スコア線と第２の分岐後スコア線とを備え、当該パネルの破断を促すスコア線と、前記第１の分岐後スコア線および前記第２の分岐後スコア線のうちの少なくとも一方の分岐後スコア線に対応して設けられ、当該一方の分岐後スコア線に沿って進行する前記パネルの破断を一時的に滞らせる手段と、を備える缶蓋である。
また、本発明を飲料缶として捉えた場合、本発明が適用される飲料缶は、飲料が収容された缶胴と、当該缶胴に取り付けられた缶蓋と、を備える飲料缶であって、前記缶蓋が、上記に記載の缶蓋である飲料缶である。
【発明の効果】
【０００６】
本発明によれば、分岐部を有するスコア線に沿ったパネルの破断を良好に行うことができるようになる。
【図面の簡単な説明】
【０００７】
【図１】本実施の形態が適用される飲料缶の上面図である。
【図２】（Ａ）〜（Ｄ）は、タブを説明するための図である。
【図３】タブが取り付けられる前の缶蓋の正面図である。
【図４】（Ａ）〜（Ｆ）は、タブが操作された際の缶蓋の状態を示した図である。
【図５】パネルの破断を説明するための図である。
【図６】第１スコア線と第２スコア線との接続部を拡大して示した図である。
【図７】図６におけるＶＩＩ−ＶＩＩ線における断面図である。
【図８】第１スコア線と第２スコア線との接続部を拡大して示した図である。
【図９】第１スコア線の他の形状を示した図である。
【図１０】缶蓋の他の構成例を示した図である。
【図１１】缶蓋の他の構成例を示した図である。
【図１２】第１スコア線と第２スコア線との接続部を拡大して示した図である。
【図１３】第１スコア線と第２スコア線との接続部を拡大して示した図である。
【発明を実施するための形態】
【０００８】
以下、添付図面を参照して、本発明の実施の形態について詳細に説明する。
図１は、本実施の形態が適用される飲料缶１００の上面図である。この飲料缶１００は、同図に示すように、上部に開口を有するとともに下部に底部を有し且つ筒状に形成された容器本体（缶胴）２００と、容器本体２００の開口に取り付けられこの開口を塞ぐ缶蓋３００とを有している。なお、飲料缶１００の内部には、清涼飲料、炭酸飲料、アルコール飲料などの飲料が収容されている。
【０００９】
缶蓋３００には、基板として機能し容器本体２００の開口に取り付けられる円盤状のパネル４００が設けられている。また、缶蓋３００には、ユーザにより操作されるタブ５００が取り付けられている。タブ５００は、ユーザによって一方の端部（図中、上端部）が操作されることで（持ち上げられることで）、パネル４００のうちの予め定められた箇所（詳細は後述）に対して他方の端部（先端部）を押し付け、パネル４００を押圧する。なお、本明細書では、タブ５００の図中上端部を被操作部５０５と称し、タブ５００の図中下端部を先端部５１０と称する。
【００１０】
タブ５００は、パネル４００の中央部からずれた位置に設けられたリベット９００によってパネル４００に固定されている。付言すると、タブ５００は、パネル４００に対して偏心した状態で設けられたリベット９００によってパネル４００に固定されている。さらに、タブ５００は、被操作部５０５と先端部５１０との間に位置する部位がリベット９００によってパネル４００に固定されている。
【００１１】
なお、本実施形態では、タブ５００が、パネル４００の中央部からずれた位置に設けられたリベット９００によってパネル４００に固定されている場合を一例に説明するが、タブ５００は、パネル４００の中央部に設けられたリベット９００によってパネル４００に固定することもできる。また、本実施形態では、先端部５１０が円弧状に形成されたタブ５００を例示するが、タブ５００は、矩形状に形成することもでき、この場合は、タブ５００の先端部５１０が直線状となる。
【００１２】
図２の（Ａ）〜（Ｄ）（タブ５００を説明するための図）を参照し、タブ５００についてさらに説明する。
なお、同図（Ａ）はタブ５００の正面図であり、同図（Ｂ）は同図（Ａ）の矢印ＩＩＢ方向からタブ５００を眺めた場合の図である。また、同図（Ｃ）はタブ５００の裏面を示した図である。また、同図（Ｄ）は、同図（Ａ）の矢印ＩＩＤ方向からタブ５００を眺めた場合の図である。
【００１３】
タブ５００は、同図（Ａ）に示すように、板状に形成され且つ略矩形状に形成されたタブ本体部５２０を有している。なお、本実施形態では、同図（Ｄ）に示すように、このタブ本体部５２０の外周縁に対して曲げ加工（カール加工）が施され、タブ本体部５２０の外周縁が内側にカールした状態となっている。付言すると、タブ本体部５２０の四方に設けられている縁部には、カール部が形成されている。
【００１４】
これにより、本実施形態では、タブ５００の曲げ剛性が高められている。さらに、タブ５００には、同図（Ａ）に示すように、先端部５１０が設けられている側とは反対側（被操作部５０５側）に、ユーザの指が引っ掛けられる貫通孔（フィンガーホール）５３０が形成されている。また、タブ５００には、先端部５１０側に、パネル４００に設けられた突出部４２０（後述）が挿入される挿入孔５４０が形成されている。さらに、挿入孔５４０の周囲には、Ｕ字状に形成され且つタブ本体部５２０を貫通する貫通部５６０が設けられている。
【００１５】
さらに、タブ本体部５２０の四方に設けられた４つのカール部のうち、タブ５００の長手方向に沿って設けられたカール部には、第１スリット５２１が形成されている。また４つのカール部のうち、タブ５００の長手方向に沿って設けられたもう一つのカール部には、第２スリット５２２が形成されている。さらに、タブ本体部５２０のうち、第１スリット５２１と第２スリット５２２との間に位置する部位には、タブ５００の短手方向に沿う溝５２３が形成されている。
【００１６】
ここで、第１スリット５２１、第２スリット５２２、溝５２３は、同一の直線上に設けられている。また、第１スリット５２１、第２スリット５２２、溝５２３は、タブ５００の幅方向に沿って設けられている。また、第１スリット５２１、第２スリット５２２、溝５２３は、挿入孔５４０と貫通孔５３０との間に配置されている。ここで、本実施形態では、このように第１スリット５２１、第２スリット５２２、溝５２３が形成されており、これらが形成された部分の剛性（曲げ剛性）が低下している。
【００１７】
このため、図２（Ｂ）に示すように、タブ５００の被操作部５０５側に荷重を加えるとタブ５００が折れ曲がるようになる。なお、本実施形態では、第１スリット５２１と第２スリット５２２との間に溝５２３を形成してこの部分の剛性を低下させたが、このような溝に限らず、例えば曲げ加工を施すことで剛性を低下させることができる。また、溝５２３は必ずしも必要ではなく、溝５２３は省略することもできる。
【００１８】
なお、図２（Ｂ）にて示す矢印の方向と逆の方向に作用する荷重を被操作部５０５に加えた場合には（図中、左方向に作用する荷重を被操作部５０５に加えた場合には）、第１スリット５２１等により２つに分割された面（タブ５００のうち第１スリット５２１等の両脇に位置する部分）が互いに対峙し、タブ５００の折れ曲がりが防止される。
【００１９】
図３は、タブ５００が取り付けられる前の缶蓋３００の正面図である。
本実施形態の缶蓋３００は、円盤状に形成されたパネル４００を備えている。このパネル４００は、曲げ加工が施された外周縁４１０を有している。本実施形態では、この外周縁４１０と容器本体２００（図１参照）の上縁部（不図示）とが互いに接触した状態で、この外周縁４１０および上縁部に対し、いわゆる巻き締め加工が施される。これにより、缶蓋３００（パネル４００）が容器本体２００の上縁部に固定される。
【００２０】
さらに、缶蓋３００には、タブ５００がパネル４００に固定される際に押しつぶされ、上述したリベット９００（図１参照）となる突出部（ニップル）４２０が形成されている。この突出部４２０は、パネル４００の中心部ＣＰから外れた箇所に設けられている。また、パネル４００の表面には、Ｕ字状の第１スコア線４３０が形成されている。
【００２１】
第１スコア線４３０は、パネル４００の表面に形成された溝により構成されており、パネル４００の破断（後述）を誘導する役割を果たす。付言すると、第１スコア線４３０は、パネル４００の破断が予定されている破断予定線として捉えることができる。さらに説明すると、第１スコア線４３０は、タブ５００がパネル４００を押圧することにより発生するパネル４００の破断が、パネル４００の予め定められた箇所に生じるように、この破断を促す役割を有する。
【００２２】
ここで、第１スコア線４３０は、パネル４００の中心部側からパネル４００の外周縁４１０側に向かって膨らむように形成され、パネル４００を正面から眺めた場合の形状がＵ字状となっている。さらに、第１スコア線４３０は、パネル４００の中心部ＣＰ側に一端部４３１および他端部４３２を有し、パネル４００の外周縁４１０側に頂部４３３Ａを有している。なお、本実施形態では、パネル４００のうちのタブ５００により押圧される領域ＲＡが、第１スコア線４３０により囲まれた領域内に位置する。
【００２３】
第１スコア線４３０の一端部４３１は、タブ５００の中心線ＣＬ（タブ５００の長手方向に沿った中心線）（図１も参照）を挟んで相対する二つの領域のうちの一方の領域（図中、左側の領域）側に配置されている。一方、他端部４３２は、中心線ＣＬを挟んで相対する二つの領域のうちの他方の領域（図中、右側の領域）側に配置されている。また、本実施形態では、タブ５００の中心線ＣＬを対称軸として線対称となるように、第１スコア線４３０が形成されている。
【００２４】
さらに、一端部４３１および他端部４３２が、互いに離れた状態で設けられることによって、パネル４００のうち、一端部４３１と他端部４３２との間には、第１スコア線４３０が形成されていない不連続部が設けられている。この不連続部が設けられることによって、後述する舌片部がパネル４００から離脱せず、舌片部がパネル４００に取り付いたままの状態となる。なお、本実施形態では、タブ５００の中心線ＣＬは、図３に示すように、パネル４００の中心部ＣＰと、パネル４００に形成された突出部４２０とを通過する。
【００２５】
また、本実施形態では、上記中心線ＣＬと直交する仮想線であって突出部４２０（リベット９００）を通る第１仮想線ＫＬ１を想定した場合に、上記一端部４３１および他端部４３２は、この第１仮想線ＫＬ１よりもパネル４００の中心部ＣＰ側に位置する。
また、本実施形態では、図３に示すように、中心線ＣＬと直交する仮想線であってパネル４００の中心部ＣＰを通る第２仮想線ＫＬ２を挟んで相対する２つの領域のうちの一方の領域内に頂部４３３Ａが位置し、他方の領域内に一端部４３１および他端部４３２が位置する。
【００２６】
さらに、リベット９００となる突出部４２０は、パネル４００のうちの第１スコア線４３０により囲まれている部位であって、第１スコア線４３０の一端部４３１および他端部４３２よりも頂部４３３Ａ側に位置する部位に設けられている。また、第１スコア線４３０は、図３に示すように湾曲部４３３を有している。この湾曲部４３３は、一端部４３１と他端部４３２とを結ぶとともに突出部４２０が設けられている側に膨らみ且つ突出部４２０よりもパネル４００の外周縁４１０側を通る。また、湾曲部４３３は、中心線ＣＬと交わる箇所に頂部４３３Ａを有する。
【００２７】
本実施形態では、ユーザによりタブ５００が操作されることで、第１スコア線４３０により囲まれた領域がタブ５００により押圧され、第１スコア線４３０が形成されている箇所にてパネル４００が破断する（詳細は後述）。これにより、第１スコア線４３０が形成されている領域が舌片状となり、且つ、この領域が飲料缶１００の内部に向かって折れ曲がる。これにより、飲料缶１００に、飲み口としての役割を果たす開口が形成される。
なお、本明細書では、以下、第１スコア線４３０にて生じる破断により形成される上記舌片状の部位を舌片部と称する場合がある。
換言すれば、第１スコア線４３０で囲まれた内側の領域は、タブ５００により押圧され、第１スコア線４３０が破断しパネル４００と分離するが、第１スコア線４３０の一端部４３１と他端部４３２の間のスコア線が形成されていない前記不連続部では、スコア線の破断が成立しないため、パネル４００との分離は問題にならない。つまり、第１スコア線４３０で囲まれた内側の領域は、前記不連続部でパネル４００との接続を保持した状態で屈曲し、飲料缶１００の内部に押し込まれる。
【００２８】
さらに、本実施形態では、パネル４００の表面に、第２スコア線４５０が形成されている。この第２スコア線４５０も、パネル４００の表面に形成された溝により構成されており、パネル４００の破断を誘導する役割を果たす。第２スコア線４５０は、第１仮想線ＫＬ１を挟み相対する２つの領域のうちの、頂部４３３Ａ（第１スコア線４３０の頂部４３３Ａ）が設けられている領域内に設けられている。
【００２９】
また、第２スコア線４５０は、一端部４５１および他端部４５２を有している。ここで第２スコア線４５０の他端部４５２は、第１スコア線４３０の湾曲部４３３に接続されている。このため、本実施形態では、第１スコア線４３０と第２スコア線４５０とが接続する箇所にて、スコア線が分岐する。
【００３０】
第２スコア線４５０の他端部４５２は、第１スコア線４３０の湾曲部４３３のうちの中心線ＣＬと第１仮想線ＫＬ１との間に位置する部位に対して接続されている。さらに説明すると、第２スコア線４５０の他端部４５２は、第１スコア線４３０のうちの頂部４３３Ａと他端部４３２との間に位置する部位に接続されている。また、第２スコア線４５０の他端部４５２は、第１スコア線４３０のうち、頂部４３３Ａが設けられている箇所以外の箇所に接続されている。
【００３１】
さらに説明すると、第１スコア線４３０と第２スコア線４５０との接続部は、中心線ＣＬと第１スコア線４３０とが交差する交差箇所ＫＰ以外の箇所に設けられている。また、本実施形態では、第２スコア線４５０は、第１スコア線４３０との接続部から、第１スコア線４３０により囲まれている領域内に向かうように設けられている。
【００３２】
また、本実施形態では、中心線ＣＬと直交する関係で配置された第１仮想線ＫＬ１よりも上記交差箇所ＫＰが設けられている側に、第１スコア線４３０と第２スコア線４５０との接続部が設けられている。また、本実施形態では、中心線ＣＬと直交する関係で配置された第１仮想線ＫＬ１よりも領域ＲＡが位置する側に、第１スコア線４３０と第２スコア線４５０との接続部が設けられている。
【００３３】
また、本実施形態では、第１スコア線４３０と第２スコア線４５０との接続部と、第１スコア線４３０の一端部４３１との距離の方が、接続部と第１スコア線４３０の他端部４３２との距離よりも大きくなっている。さらに説明すると、第１スコア線４３０のうちの一端部４３１と上記接続部との間に位置する部位の長さの方が、第１スコア線４３０のうちの他端部４３２と上記接続部との間に位置する部位の長さよりも大きくなっている。
【００３４】
なお、本実施形態では、パネル４００の中央部側から図中右下方向に向かうように第２スコア線４５０が形成されている場合を説明したが、第２スコア線４５０は、図中左下方向に向かうように形成してもよい。この場合、第２スコア線４５０は、第１スコア線４３０のうちの頂部４３３Ａと一端部４３１との間に位置する部位に接続される。
【００３５】
さらに、第２スコア線４５０の一端部４５１は、突出部４２０の近傍に設けられている。また、第２スコア線４５０の一端部４５１は、中心線ＣＬを挟んで相対する２つの領域のうちの一方の領域側に配置され、第２スコア線４５０の他端部４５２は、この２つの領域のうちの他方の領域側に配置されている。
さらに、第２スコア線４５０は、他端部４５２から突出部４２０に向かう直線部４５３を有する。また、直線部４５３に接続されるとともに円柱状に形成された突出部４２０との間に距離を有して配置され且つ突出部４２０の外周縁に沿うように形成された湾曲部４５４を有する。
【００３６】
第２スコア線４５０の湾曲部４５４は、突出部４２０と第１スコア線４３０との間に形成されている。詳細には、第１スコア線４３０の頂部４３３Ａと突出部４２０との間に形成されている。付言すると、中心線ＣＬ上において、突出部４２０と第１スコア線４３０との間に、第２スコア線４５０の湾曲部４５４が配置されている。
【００３７】
また、湾曲部４５４は、パネル４００のうちのタブ５００により押圧される領域ＲＡと突出部４２０との間を通過するように設けられている。付言すると、本実施形態では、上記領域ＲＡよりも突出部４２０（リベット９００）が設けられている側を通るように、第２スコア線４５０が設けられるとともに、この第２スコア線４５０は、領域ＲＡと突出部４２０との間を通過するように設けられている。
【００３８】
また、第２スコア線４５０の湾曲部４５４は、中心線ＣＬと交差するように設けられている。さらに説明すると、本実施形態における第２スコア線４５０は、領域ＲＡと突出部４２０との間を通過した後、中心線ＣＬと交差する方向に沿って進行し、第１スコア線４３０に接続される。さらに説明すると、中心線ＣＬと交差する方向に沿って且つ第１スコア線４３０に向かって進行する第２スコア線４５０は、領域ＲＡの脇を通過する。
また、第２スコア線４５０は、領域ＲＡと突出部４２０との間を通過した後、第１仮想線ＫＬ１から次第に離れるように進行し、第１スコア線４３０に接続される。
【００３９】
ここで、図４（Ａ）〜（Ｆ）（タブ５００が操作された際の缶蓋３００の状態を示した図）を参照し、缶蓋３００についてさらに説明する。なお、図４（Ａ）〜（Ｆ）の各々では、缶蓋３００を正面から眺めた場合の缶蓋３００の状態、および、缶蓋３００を側方から眺めた場合の缶蓋３００の状態の二つの状態を図示している。
【００４０】
本実施形態では、タブ５００の被操作部５０５（後端部）（図１参照）がユーザにより持ち上げられると、タブ５００の先端部５１０が、第２スコア線４５０の湾曲部４５４と第１スコア線４３０の頂部４３３Ａとの間に位置する領域ＲＡ（図３参照）を押圧する。そして、領域ＲＡがタブ５００により押圧されると、まず、この領域ＲＡとリベット９００（突出部４２０）との間を通過するように設けられた第２スコア線４５０の湾曲部４５４にて、パネル４００が破断する（図４（Ｂ）参照）。
【００４１】
その後、第２スコア線４５０に沿ってパネル４００の破断が進行し、図４（Ｃ）に示すように、第１スコア線４３０と第２スコア線４５０との接続部まで、パネル４００が破断する。その後、本実施形態では、図４（Ｄ）に示すように、接続部から第１スコア線４３０の一端部４３１に向かうパネル４００の破断、および、接続部から第１スコア線４３０の他端部４３２に向かうパネル４００の破断が進行する。
【００４２】
付言すると、本実施形態では、第１スコア線４３０と第２スコア線４５０との接続部にてスコア線が分岐する形態となっており、第２スコア線４５０に沿って接続部まで進行してきたスコア線は、この分岐する部分（分岐部）を通過後、枝分かれし、一端部４３１および他端部４３２のそれぞれに向かって進行する。
さらに説明すると、本実施形態におけるスコア線は、接続部（分岐部）にて分岐し枝分かれした後、一部が第１分岐後スコア線となり、他の一部が第２分岐後スコア線となる。そして、この第１分岐後スコア線は、上記一端部４３１に向かって進行し、第２分岐後スコア線は、上記他端部４３２に向かって進行する。
【００４３】
その後、本実施形態では、ユーザによって、飲料缶１００の内部方向に向けてタブ５００が押し込まれる。これにより、図４（Ｅ）に示すように、第１スコア線４３０の一端部４３１および他端部４３２までパネル４００の破断がさらに進行する。これにより、第１スコア線４３０により囲まれていた領域が舌片部となる。また、舌片部の根元（第１スコア線４３０の一端部４３１と他端部４３２との間に位置する箇所）にて、舌片部は折り曲げられ、舌片部は飲料缶１００の内部に進入する。
【００４４】
これにより、飲料缶１００には飲み口として機能する開口が形成される。その後、ユーザにより、タブ５００の被操作部５０５側の操作が行われ、図４（Ｆ）に示すように、タブ５００が折れ曲がる。これにより、タブ５００の被操作部５０５側が缶蓋３００のパネル４００に沿うようになる。なお、この場合、被操作部５０５側の突出がなくなり、飲用時の煩わしさが軽減する。
【００４５】
ここで、本実施形態では、このようにタブ５００が折れ曲がることで、タブ５００の先端部５１０が飲料缶１００の内部に入り込んだ状態が維持される。付言すると、起こしたタブ５００をパネル４００に沿うように寝かしたとしても、タブ５００の先端部５１０が飲料缶１００の内部に入り込んだ状態が維持される。これにより、形成された開口がタブ５００の先端部５１０により塞がれることが抑制され、開口がより大きなものとなる。
なお、本実施形態では、折れ曲がるタブ５００を一例に説明したが、折れ曲がりが生じないタブ５００を用いることも当然可能である。なお、このように折れ曲がりを生じないタブ５００を用いる場合には、タブ５００の被操作部５０５の突出量を少なくすることが好ましくなる。
【００４６】
ここで、第１スコア線４３０および第２スコア線４５０にて生じるパネル４００の破断について、図５（パネル４００の破断を説明するための図）を参照し更に説明する。
本実施形態では、上記のとおり、タブ５００の被操作部５０５がユーザにより持ちあげられると、第２スコア線４５０の湾曲部４５４と第１スコア線４３０の頂部４３３Ａ（図３参照）との間に位置する領域ＲＡ（図３参照）がタブ５００により押圧される。これにより、まず、第２スコア線４５０の湾曲部４５４（図５参照）にてパネル４００が破断する。
【００４７】
その後、第２スコア線４５０に沿ってパネル４００の破断が進行し、第１スコア線４３０と第２スコア線４５０との接続部まで、パネル４００が破断する。その後、第１スコア線４３０にてパネル４００の破断が開始される。具体的には、第１スコア線４３０のうち、符号４Ｃで示す領域にて、パネル４００の破断が生じるようになる。
【００４８】
詳細に説明すると、本実施形態では、領域ＲＡにタブ５００が押し付けられ、領域ＲＡが飲料缶１００の内部方向に押圧されるが、このとき、タブ５００によって、飲料缶１００の外側方向に（図５における紙面の手前側方向に）、突出部４２０が引っ張られる。これにより、飲料缶１００の外側方向に、図５にて符号４Ｂで示す部位が引っ張られる。この結果、符号４Ｃで示す領域に対しせん断力が作用し、この符号４Ｃで示す領域にて、パネル４００が破断する。付言すると、第１スコア線４３０のうち、接続部よりも他端部４３２側に位置する部位にて、パネル４００が破断する。
【００４９】
また、本実施形態では、領域ＲＡに対するタブ５００の押し付けが継続され、この押し付けによって、パネル４００のうちの符号４Ａで示す部位が、飲料缶１００の内部方向に向けて押圧される。これにより、符号４Ｄで示す領域に対しせん断力が作用し、この符号４Ｄで示す領域にて、パネル４００が破断する。付言すると、第１スコア線４３０のうち、接続部よりも一端部４３１側に位置する部位にて、パネル４００が破断する。
【００５０】
その後、本実施形態では、ユーザにより、飲料缶１００の内部方向に向けてタブ５００が押し込まれ、これにより、第１スコア線４３０にてパネル４００の破断がさらに生じる。具体的には、図中符号４Ｅで示す領域、および、図中符号４Ｆで示す領域の二つの領域にて、パネル４００が破断する。さらに、本実施形態では、舌片部の根元（第１スコア線４３０の一端部４３１と他端部４３２との間に位置する箇所）にて舌片部が折れ曲がる。これにより、舌片部が飲料缶１００の内部に進入し、飲料缶１００に開口が形成される。
【００５１】
ここで、本実施形態のように、接続部よりも他端部４３２側にパネル４００の破断がまず生じ、次いで、一端部４３１側にてパネル４００の破断が生じる場合、ユーザがタブ５００を操作する際の操作荷重が小さくなる。
ここで、例えば、接続部よりも一端部４３１側および接続部よりも他端部４３２側の両側にて同時に、パネル４００の破断が生じる場合、二箇所にて同時にパネル４００の破断が生じるようになる。かかる場合、タブ５００に対し、二箇所の破断に要する操作荷重を加える必要が生じ、タブ５００の操作荷重が大きくなる。
【００５２】
一方で、本実施形態のように、接続部よりも他端部４３２側にてパネル４００の破断がまず生じ、次いで、接続部よりも一端部４３１側にてパネル４００の破断が生じる場合、タブ５００に対し、一箇所の破断に要する操作荷重を加えるだけですむ。かかる場合、二箇所で同時にパネル４００が破断する場合に比べ、タブ５００の操作荷重が小さくなる。
【００５３】
また、本実施形態のように、接続部よりも他端部４３２側にてパネル４００の破断がまず生じ、次いで、接続部よりも一端部４３１側にてパネル４００の破断が生じる場合、ユーザは、缶蓋３００に対してより確実に開口（飲み口）を形成できるようになる。
ここで、接続部よりも一端部４３１側にて先にパネル４００の破断が生じてしまうと、接続部から他端部４３２側に向かうパネル４００の破断が生じにくくなり、第１スコア線４３０の内側に位置する領域の全てが開口とならず、不完全な状態の開口が形成されるおそれがある。
【００５４】
詳細に説明すると、接続部よりも一端部４３１側にて先にパネル４００の破断が生じる場合、まず、飲料缶１００の内部にタブ５００の先端部５１０が入り込む。そして、この場合、パネル４００による先端部５１０の支持（下方からの支持）がなされなくなる。そして、このように先端部５１０の支持がなくなると、タブ５００による突出部４２０の上記引っ張り（飲料缶１００の外側方向への引っ張り）がなされにくくなる。そして、この場合、符号４Ｃで示した上記領域に対しせん断力が作用しにくくなり、この符号４Ｃで示す領域におけるパネル４００の破断が生じにくくなる。
【００５５】
また、接続部よりも一端部４３１側にて先にパネル４００の破断が生じると、タブ５００の傾斜や回転を招き、これにより、開口が形成されにくくなる。詳細に説明すると、接続部よりも一端部４３１側にて先にパネル４００の破断が生じた場合、図５にて符号４Ａで示す領域に、小さい開口（以下、「小開口」と称する）が形成され、そして、この小開口を通じ、飲料缶１００の内部にタブ５００の先端部５１０が入り込む。そして、このように、タブ５００の先端部５１０が入り込むと、図１の符号１Ａで示す部分において、小開口の縁とタブ５００の外周縁とが接触する。
【００５６】
ここで、この場合、小開口の縁とタブ５００の外周縁とが接触する接触部は、タブ５００の中心線ＣＬからずれた位置にあり、タブ５００の操作（被操作部５０５側の持ち上げ）を継続して行っていく場合、タブ５００が傾斜する。また、この場合、リベット９００を中心としたタブ５００の回転を招くおそれもある。そして、このようにタブ５００の傾斜や回転が生じると、符号４Ｃで示した上記領域に対しせん断力が作用しにくくなり、開口が形成されにくくなる。
さらに言えば、接続部から一端部４３１側にパネル４００の破断が生じていて、接続部から他端部４３２側にパネル４００の破断が全く生じていない場合、パネル４００は符号４Ａで示す領域が飲料缶１００の内部に押し込まれ、タブ５００の先端部５１０は、図１の符号１Ａで示す部分において、小開口の縁を押圧することになる。この時、小開口の縁は、タブ５００の先端部５１０の中心線ＣＬからずれた位置に接触するため、前記押圧に対する小開口の縁からの反力はタブ５００にとって偏荷重となり、タブ５００は傾斜し、リベット９００を中心として時計回り方向に回転することがある。その場合、タブ５００の先端部５１０は、領域ＲＢを押圧するようになり、接続部から一端部４３１側のパネル４００の破断のみが進行し、接続部から他端部４３２側のパネル４００の破断は生じないようになる。この場合、パネル４００では、本来形成されるべき開口の半分程度しか開口できないことになる。一方、接続部から他端部４３２側にパネル４００の破断が生じていて、接続部から一端部４３１側にパネル４００の破断が全く生じていない場合、タブ５００は前述のような傾斜や回転をすることなく領域ＲＡ（図３参照）を押圧し続けることができるため、接続部から一端部４３１側にパネル４００の破断を生じることができる。また、タブ５００の先端部５１０が領域４Ａを飲料缶１００の内部に押し込み、前記小開口の縁に接触しても、この時点で領域４Ｂのパネル４００は破断しているため、小開口の縁からの反力は小さく、タブ５００は傾斜もしくは回転することはない。この場合、パネル４００では、本来形成されるべき開口が形成される。そのため、接続部以降のパネル４００の破断は、一端部４３１側への進行に優先して、他端部４３２側への進行がされることが望ましくなる。
【００５７】
ところで、接続部よりも一端部４３１側にて先に生じてしまうパネル４００の破断は、パネル４００の形状／材質、第１スコア線４３０の形状、第２スコア線４５０の形状、タブ５００の形状／材質などの各種パラメータを適宜設定することで、その発生を抑制することが可能となる。しかしながら、その発生を完全に抑えることは難しく、部材の寸法公差やユーザの操作の仕方などによっては、接続部よりも一端部４３１側にて先にパネル４００の破断が生じてしまう。
【００５８】
このような事態に対応するため、本実施形態では、接続部よりも一端部４３１側にて先にパネル４００の破断が生じてしまっても、この破断の進行を一時的に滞らせ（破断が進行していく際の進行速度を一時的に低下させ）、タブ５００からの操作荷重を、他端部４３２側（第１スコア線４３０のうち、接続部よりも他端部４３２側に位置する部位）に振り向ける工夫を施している。以下、タブ５００からの操作荷重を他端部４３２側に振り向ける工夫を説明する。
【００５９】
図６は、第１スコア線４３０と第２スコア線４５０との接続部を拡大して示した図である。
同図に示すように、本実施形態では、第１スコア線４３０の溝幅を、他の部分における溝幅とは異ならせた（他の部分における溝幅よりも溝幅を大きくした）溝幅変更部４３５を設けている。より詳細には、本実施形態では、第１スコア線４３０のうち、接続部よりも一端部４３１側に位置する部分に対して、溝幅変更部４３５を設けている。
【００６０】
ここで、第１スコア線４３０について詳細に説明すると、第１スコア線４３０は上記のとおり溝により形成されている。そして、この溝には、底面４３０Ａ、底面４３０Ａに接続された第１側面４３０Ｂ、同じく底面４３０Ａに接続された第２側面４３０Ｃが設けられている。
【００６１】
第１側面４３０Ｂは、溝の幅方向において底面４３０Ａの一方の脇に位置している。また、第１側面４３０Ｂは、底面４３０Ａとの接続部から上方（鉛直方向における上方、図中紙面の手前側方向）に向かうように形成されている。また、第２側面４３０Ｃは、溝の幅方向において底面４３０Ａの他方の脇に位置している。また、第２側面４３０Ｃは、第１側面４３０Ｂと同様、底面４３０Ａとの接続部から上方に向かうように形成されている。
【００６２】
ここで、速度低下手段として機能する溝幅変更部４３５は、第１側面４３０Ｂの一部および第２側面４３０Ｃの一部に曲率を付与し、第１側面４３０Ｂのこの一部および第２側面４３０Ｃのこの一部のそれぞれを、外側方向に膨らませることで形成している。付言すると、本実施形態では、第１側面４３０Ｂおよび第２側面４３０Ｃのそれぞれに凹部を形成することで、溝幅変更部４３５を形成している。
【００６３】
図７は、図６におけるＶＩＩ−ＶＩＩ線における断面図である。
上記にて説明したように、また、図７に示すように、第１スコア線４３０には、底面４３０Ａ、底面４３０Ａとの接続部から上方に向かって延びる第１側面４３０Ｂ、底面４３０Ａとの接続部から上方に向かって延びる第２側面４３０Ｃが設けられている。
【００６４】
ここで、第１スコア線４３０に沿ったパネル４００の破断は、一般的に、底面４３０Ａと一方の側面との接続部（角部）の下方にて生じることが多い。具体的に説明すると、例えば、図７に示すように、第１側面４３０Ｂと底面４３０Ａとの接続部の図中下方にてパネル４００の破断が生じることが多い。付言すると、第１側面４３０Ｂと底面４３０Ａとの接続部とパネル４００の裏面との間にて、パネル４００の破断が生じやすい。さらに、この破断は、第１スコア線４３０に沿って進行する。
【００６５】
この結果、本実施形態では、接続部から、第１スコア線４３０の一端部４３１に向かうパネル４００の破断が生じた場合、例えば、第１側面４３０Ｂが位置している箇所の下方にてパネル４００の破断が連続的に生じ、これにより、例えば、図６の矢印６Ａに示す経路に沿ってパネル４００の破断が進行する。
【００６６】
このような破断が生じる状況下において、本実施形態のように、溝幅変更部４３５が設けられていると、図６の符号６Ｂで示す箇所にて、破断の進行方向が急激に変化し、破断が進行しにくくなる状況が発生する。そして、この場合、破断の進行速度が一時的に低下する（遅くなる）。そして、この場合、接続部よりも図中上方に位置する部位（符号６Ｃで示す部位）に作用するせん断力が増加し、これにより、接続部よりも他端部４３２側にて、パネル４００の破断が生じやすくなる。
【００６７】
なお、本実施形態では、符号６Ｂで示す箇所のみならず、符号６Ｄで示す箇所でも、破断の進行方向が急激に変化し、破断が進行しにくくなる状況が一次的に発生する。即ち、本実施形態では、進行方向が急激に変化する変化点が、複数設けられており、複数箇所にて、破断が進行しにくくなる状況が発生する。この場合、変化点が一箇所のみである場合に比べ、他端部４３２側におけるパネル４００の破断がさらに生じやすくなる。
【００６８】
なお、溝幅変更部４３５は、図６で示した形状に限られず、図８（第１スコア線４３０と第２スコア線４５０との接続部を拡大して示した図）に示すように、外形形状が矩形状となるように形成することもできる。付言すると、図６にて示した溝幅変更部４３５の外形形状は略円形であったが、図８にて示す溝幅変更部４３５では、その外形形状を矩形としている。
【００６９】
詳細に説明すると、図８にて示す溝幅変更部４３５では、図６にて示した溝幅変更部４３５と同様、第１側面４３０Ｂおよび第２側面４３０Ｃのそれぞれに凹部が形成されている。ここで、第１側面４３０Ｂに形成された凹部には、第１側面４３０Ｂと直交する関係で配置された第１直交面６１、この第１直交面６１よりも接続部から離れた側に設けられ第１側面４３０Ｂと直交する関係で配置された第２直交面６２、第１直交面６１と第２直交面６２とを接続する接続面６３が設けられている。なお、第２側面４３０Ｃ側も同様であり、第１直交面６４、第２直交面６５、および、接続面６６が設けられている。
【００７０】
ここで、この図８に示す構成例において、例えば、第１側面４３０Ｂの下部において且つこの第１側面４３０Ｂに沿って、パネル４００の破断が順次生じていった場合、まず、図中符号８Ａで示す箇所（第１直交面６１が設けられている箇所）にて、破断の進行速度が低下する。また、図中符号８Ｂで示す箇所（第２直交面６２が設けられている箇所）でも、破断の進行速度が低下する。そして、この場合、上記と同様、他端部４３２側に作用するせん断力が増加し、これにより、接続部よりも他端部４３２側にて、パネル４００の破断が生じやすくなる。
【００７１】
更に、溝幅変更部４３５は、図９（第１スコア線４３０の他の形状を示した図）に示すような形状とすることができる。
ここで、同図（Ａ）に示す構成例では、第１側面４３０Ｂにのみ凹部を設けることで溝幅変更部４３５を形成している。なお、この構成例では、同図（Ａ）に示すように、外縁形状が三角形となる凹部を形成したが、外縁形状は三角形に限らず、例えば、矩形状や半円状とすることもできる。また、この構成例では、第１側面４３０Ｂに凹部を形成したが、第２側面４３０Ｃの下方にてパネル４００の破断が生じる可能性が高い場合には、第２側面４３０Ｃに凹部を形成する。
【００７２】
また、同図（Ｂ）に示すように、溝幅変更部４３５は、第１側面４３０Ｂおよび第２側面４３０Ｃのそれぞれに凸部を設け、溝幅を部分的に小さくすることで、形成してもよい。なお、この構成例では、外縁形状が矩形状の凸部を形成したが、外縁形状は、半球状、三角形状、台形状など他の形状としてもよい。また、同図（Ｃ）に示すように、第１側面４３０Ｂおよび第２側面４３０Ｃのそれぞれに凸部を設けるとともに、二つ設けられたこの凸部を、第１スコア線４３０が延びている方向においてずらすこともできる。
【００７３】
ここで、本実施形態の第１スコア線４３０は、金型をパネル４００に押し当てて形成するが、図９（Ｂ）にて示した構成例の場合、金型のうち、一方の凸部と他方の凸部との間に入り込む部分の肉厚が小さくなり、この肉厚が小さくなる部分の破損が生じやすくなる。図９（Ｃ）に示す構成例の場合、図９（Ｂ）で示す構成例に比べ、溝幅変更部４３５を形成する部分における金型の肉厚を大きくでき、金型の破損が生じにくくなる。
【００７４】
なお、上記では説明を省略したが、上記にて説明した構成では、第１側面４３０Ｂ等に凹部や凸部を形成することで、第１側面４３０Ｂ等の一部を屈曲させ、これにより、破断の進行速度を遅らせた。ところで、図９（Ｄ）に示すように、屈曲部が形成されない構成であっても、破断の進行を遅らせることできる。この図９（Ｄ）に示す構成例では、第１側面４３０Ｂの一部および第２側面４３０Ｃの一部を波形形状とすることで、破断が進行していく際の進行経路を直線状以外の経路とし、これにより、破断の進行を遅らせる。なお、波形形状は、図９（Ｅ）に示すように、複数の平面を接続して形成してもよい。
【００７５】
また、上記では、溝幅変更部４３５でのみ溝幅が変更され、溝幅変更部４３５よりも下流側では、溝幅が元の溝幅に戻る態様を説明したが、溝幅を変更した溝幅変更箇所よりも下流側では、変更後の溝幅を保つようにしてもよい。具体的には、図９（Ｆ）、（Ｇ）のような形状とすることができる。この構成例では、符号９Ａで示す箇所にて破断の進行速度が低下する。
【００７６】
図９（Ｆ）、（Ｇ）にて示す構成例についてさらに説明すると、この構成例では、第１側面４３０Ｂおよび第２側面４３０Ｃのそれぞれに（符号９Ａで示す箇所に）、段差が設けられており、この段差が設けられている箇所にて、破断の進行速度が低下する。
【００７７】
図９（Ｆ）における第１側面４３０Ｂを一例にさらに詳細に説明すると、この第１側面４３０Ｂには、第２側面４３０Ｃに対向する箇所に第１部位９Ｅが設けられている。また、第１スコア線４３０が延びる方向において、この第１部位９Ｅが設けられている箇所とは異なる箇所には、第２側面４３０Ｃにより近い側に位置する第２部位９Ｆが設けられている。そして、この構成例では、第１部位９Ｅと第２部位９Ｆとの間に、段差９Ｇが設けられている。この構成例では、例えば、第１部位９Ｅに沿って破断が進行してくると、段差９Ｇが設けられている箇所にて、破断の進行速度が一時的に遅くなる。
【００７８】
また、図９（Ｈ）に示すように、第１スコア線４３０の進行方向を途中で変化させ、この進行方向が変化する箇所にて、破断の進行速度を低下させることもできる。付言すると、この図９（Ｈ）に示す構成例では、第１スコア線４３０を２回屈曲させ、パネル４００における破断の進行速度を、屈曲部の各々にて低下させるようにしている。
【００７９】
また、前述したような形態のほかに、図１２に示すように、第１スコア線４３０の深さを浅くすることにより、パネル４００の破断速度を低下することができる。これは、スコア線としてパネル表面から裏面に向かって溝が形成されているが、この溝の深さを溝の進行方向に沿って長さａの範囲でその前後に比べαだけ浅くしたものである。パネル４００の破断は、溝の形成された溝の底部からパネル４００の裏面までの溝の残厚部を破断するものであるから、残厚部の厚さを厚くすると残厚部の破断が困難になる。つまり、スコア線となる溝の一部において溝深さを浅くすることにより、パネル４００の破断をし難くし、パネル４００の破断速度を低下するようにしている。
【００８０】
また、前述したような形態のほかに、図１３に示すように、第１スコア線４３０の形成されるパネル面を一定の範囲（第１スコア線４３０の幅方向に沿って長さｂ、第１スコア線４３０の進行方向に沿って長さｃの範囲）で押圧し、押圧していないパネル４００に比べ押圧することにより、パネル４００の破断速度を低下することができる。この場合パネル４００の厚さは、押圧した部分は押圧していない部分に比べβだけパネル厚さが小さくなっている。これは、パネル４００を押圧することにより、押圧された部分は、押圧力により変形し、加工硬化によりパネル４００の強度が増加し、パネル４００の破断がし難くなり、パネル４００の破断速度を低下するようにしている。また、押圧部の形状は、このような矩形に限定されるものではなく、多角形でも円形でもよい。
【００８１】
また、上記では、接続部よりも一端部４３１側にのみ溝幅変更部４３５を設けたが、接続部よりも一端部４３１側および他端部４３２側の両者に溝幅変更部４３５を設けてもよい。
この理由について、さらに説明する。
仮に接続部から他端部４３２側より一端部４３１側の破壊が先行した場合、一端部４３１側に設けられた溝幅変更部４３５により一端部４３１側の破断の速度が低下し、一端部４３１側への破断が一時的に停留する。そのため他端部４３２側への破断の進行が促され、他端部４３２側の破断が進行する。しかし、他端部４３２側の破断の進行が一気に他端部４３２に到達することは望ましくない。
【００８２】
図５を参照し説明すると、これは他端部４３２側の破断が符号４Ｃに留まらず符号４Ｅまで進行した状態となる。
このとき、タブ５００がパネル４００を押圧した状態で、タブ５００からの押圧に対する反力により、突出部４２０は図５の手前側方向に引っ張られた状態にあり、突出部４２０は符号４Ｃもしくは符号４Ｅの第１スコア線４３０と第２スコア線４５０で囲まれた領域にあるため、符号４Ｃもしくは符号４Ｅの第１スコア線４３０と第２スコア線４５０が破断すると、突出部４２０は手前側方向にわずかに移動する。この突出部４２０の移動量は、破断が符号４Ｃに比べ破断量の多い符号４Ｅのほうが大きくなる。突出部４２０が手前側方向に移動すると、突出部４２０に接続するタブ５００も手前側に移動することになり、タブ５００とパネル４００の距離が増加しタブ５００が領域ＲＡを押圧しにくくなり開口が阻害される。そのため、他端部４３２側の破断が一気に他端部４３２に到達せずに途中で停滞することが望ましい。
【００８３】
付言すると、第１スコア線４３０にて、接続部から他端部４３２に向かうパネル４００の破断が起きる場合、パネル４００の破断が、符号４Ｅで示す部分まで一気に進行することが起こり得る。かかる場合、突出部４２０が、図中紙面の手前側方向に大きく変位し、これに伴い、タブ５００も、図中紙面の手前側方向に大きく変位する。そして、この場合、タブ５００の先端部５１０が、パネル４００から離れる方向に移動し、タブ５００からパネル４００に作用する押圧荷重が低下する。そして、この場合、図５にて符号４Ｄで示す領域に対しせん断力が作用しにくくなり、開口が形成されにくくなる。
【００８４】
一方で、本実施形態のように、接続部から他端部４３２との間にも、パネル４００の破断を滞らせる構成を設けると、符号４Ｅで示す部分まで一気に進行してしまうパネル４００の破断が抑制され、タブ５００の移動（パネル４００から離れる方向への移動）も抑制される。そして、この場合、タブ５００からパネル４００に対して荷重がより確実に伝わるようになる。
【００８５】
なお、接続部からのパネル４００の破断は、一端部４３１側で先に起きずに、他端部４３２側で先に起こることがあり、この場合も、上記のように、接続部と他端部４３２との間に、パネル４００の破断を滞らせる構成を設けておけば、符号４Ｅで示す部分まで一気に進むパネル４００の破断が抑制される。これにより、この場合も、パネル４００から離れる方向へのタブ５００の移動が抑制され、タブ５００からパネル４００に対して荷重がより確実に伝わるようになる。
【００８６】
図３を再度参照し、缶蓋３００について更に説明する。
本実施形態では、図３に示すように、第１スコア線４３０の一端部４３１と他端部４３２との間に位置する領域に（舌片部の根元となる部分に）、溝６００が設けられている。この溝６００は、一端部４３１が設けられている側から他端部４３２が設けられている側に向かうように形成されている。これにより、本実施形態では、舌片部の折れ曲がりが生じやすくなっている。なお、溝６００は必ずしも必要ではなく溝６００は省略することもできる。また、溝６００は直線状に限らず曲率を付与して形成してもよい。
【００８７】
また、本実施形態では、上記のとおり、領域ＲＡと突出部４２０との間を通過するように第２スコア線４５０が設けられている場合を例示したが、第２スコア線４５０の配置態様はこのような態様に限られない。例えば、図１０（缶蓋３００の他の構成例を示した図）に示すように、領域ＲＡと突出部４２０との間を通過しない第２スコア線４５０を設けることもできる。さらに、第２スコア線４５０の形状も特に限定されず、第２スコア線４５０に曲率を付与するようにしてもよい。
【００８８】
また、本実施形態では、図３に示すように、第１スコア線４３０の一端部４３１と他端部４３２において、第１スコア線４３０は、第１スコア線４３０により囲まれた領域内に向かうように内向きにカールしており、第１スコア線４３０は、その終端に向かうに従い、タブ５００の中心線ＣＬに接近する。
【００８９】
ここで、本実施形態では、上記のとおり、第１スコア線４３０の一端部４３１および他端部４３２に向かって、パネル４００の破断が生じるが、一端部４３１および他端部４３２の各々にて第１スコア線４３０がカールしていると、この一端部４３１および他端部４３２にて、第１スコア線４３０の進行方向が急減に変化する。そして、この場合、一端部４３１および他端部４３２にて、パネル４００の破断が停止するようになる。
【００９０】
ここで、例えば、図１１（缶蓋３００の他の構成例を示した図）に示すように、一端部４３１および他端部４３２がカールしておらず、一端部４３１および他端部４３２が直線状に形成されていると、パネル４００の破断が、一端部４３１および他端部４３２を超えた箇所（第１スコア線４３０の延長線上に位置する箇所、破断を予定していない箇所）でも生じやすくなってしまう。
【符号の説明】
【００９１】
１００…飲料缶、２００…容器本体（缶胴）、３００…缶蓋、４００…パネル、４３０…第１スコア線、４３０Ａ…底面、４３０Ｂ…第１側面、４３０Ｃ…第２側面、４３５…溝幅変更部、４５０…第２スコア線
【図１】
2015034058.tif 000003
【図２】
2015034058.tif 000004
【図３】
2015034058.tif 000005
【図４】
2015034058.tif 000006
【図５】
2015034058.tif 000007
【図６】
2015034058.tif 000008
【図７】
2015034058.tif 000009
【図８】
2015034058.tif 000010
【図９】
2015034058.tif 000011
【図１０】
2015034058.tif 000012
【図１１】
2015034058.tif 000013
【図１２】
2015034058.tif 000014
【図１３】
2015034058.tif 000015